(57)【特許請求の範囲】
【請求項１】
冷媒回路内を通過する冷媒との間で熱交換を行って温度調整された空気を室内に供給する空調ユニット（２，５）と、加湿空気を生成して室内に供給する加湿ユニット（４）と、前記空調ユニット（２，５）および加湿ユニット（４）への指示入力を受け付けるリモコン（８）とを備える空気調和機であって、
前記加湿ユニット（４）が作動している際の加湿時消費電力量を算出する加湿電力算出手段（５０１）と、
前記リモコン（８）に設けられ、前記加湿電力算出手段（５０１）により算出された加湿時消費電力量を表示する加湿時消費電力表示手段（８０８）と、
前記加湿ユニット（４）が作動している際の換気風量を検出する換気風量検知手段（５０１）と、
前記リモコン（８）に設けられ、前記換気風量検知手段（５０１）により検出される換気風量を表示する換気風量表示手段（８０８）と、
を備える空気調和機。
【請求項２】
前記加湿ユニット（４）は、空気中に含まれる水分を吸着し加熱されることにより吸着している水分を放出する吸湿材料で構成された加湿ロータと、前記加湿ロータを回転駆動するロータ駆動モータ（６１）と、前記加湿ロータに吸着された水分を離脱するための加熱手段（６６）とを含む、請求項１に記載の空気調和機。
【請求項３】
冷媒回路内を通過する冷媒との間で熱交換を行って温度調整された空気を室内に供給する室内空調ユニット（２）と、加湿空気を生成し前記室内空調ユニット（２）を介して前記加湿空気を室内に供給する加湿ユニット（４）とを備える空気調和機であって、
前記加湿ユニット（４）が作動している際の加湿時消費電力量を算出する加湿電力算出手段（５０１）と、
前記室内空調ユニット（２）に設けられ、前記加湿電力算出手段（５０１）により算出された加湿時消費電力量を表示する加湿時消費電力表示手段（９０１）と、
前記加湿ユニット（４）が作動している際の換気風量を検出する換気風量検知手段（５０１）と、
前記室内空調ユニット（２）に設けられ、前記換気風量検知手段（５０１）により検出される換気風量を表示する換気風量表示手段（９０１）と、
を備える空気調和機。
【請求項４】
前記加湿ユニット（４）は、空気中に含まれる水分を吸着し加熱されることにより吸着している水分を放出する吸湿材料で構成された加湿ロータと、前記加湿ロータを回転駆動するロータ駆動モータ（６１）と、前記加湿ロータに吸着された水分を離脱するための加熱手段（６６）とを含む、請求項３に記載の空気調和機。
【請求項５】
圧縮機（２１）、室外熱交換器、減圧回路（２５）、室外ファンなどを含む室外空調ユニット（５）を備え、前記室外空調ユニット（５）と前記加湿ユニット（４）とが室外機（３）に一体的に収納されている、請求項１〜４のいずれかに記載の空気調和機。
【発明の詳細な説明】
【０００１】
【発明の属する技術分野】
本発明は、室外機に併設された加湿ユニットにより、室内機側に加湿空気を搬送して、室内空気の湿度調整を行うことを可能とした空気調和機に関する。
【０００２】
【従来の技術】
セパレート型の空気調和機では、室外機内に配置される室外熱交換器と、室内機内に配置される室内熱交換器とが冷媒配管で接続され、各熱交換器が冷媒の凝縮器および蒸発器として作用するように制御することにより冷房運転または暖房運転を行うように構成されている。
【０００３】
室外機内には、空気流を生成するための室外ファンが配置されており、この室外ファンによって外気を導入し、室外熱交換器の内部を通過する冷媒と空気との間で熱交換を行う。
【０００４】
同様に、室内機にも室内機ケーシング内部に空気流を生成する室内ファンが配置されており、この室内ファンのよって室内空気を吸い込んで、室内熱交換器の内部を通過する冷媒と空気との間で熱交換を行う。
【０００５】
一般的に空気調和機の暖房運転では水分の供給がないまま室温のみが上がるため、室内の相対湿度が大幅に低下する場合がある。このため、空気調和機に加湿ユニットを設けて室内に加湿空気を供給することが提案されている。加湿ユニットは、たとえば、空気中の水分を吸着し、加熱することにより吸着された水分を離脱するようなゼオライトなどの多孔質の吸湿材料で円盤形状の加湿ロータを構成し、これを回転可能に支持する。空気中の水分を加湿ロータに吸着させるために外気を導入して加湿ロータの一部を通過する空気流を生成するための吸湿ファンと、加湿ロータから離脱した水分を含む加湿空気を室内機側に搬送するための空気流を生成する加湿ファンとを備えている。吸湿ファンによる空気流と加湿ファンによる空気流は、それぞれ加湿ロータの回転方向に異なる位置で加湿ロータを通過するように構成されており、加湿ファンによる空気流が通過する位置には、加湿ロータを加熱するヒータが配置される。
【０００６】
吸湿ファンによる空気流中に含まれる水分は加湿ロータの吸湿材料に吸着される。加湿ロータはモータにより回転駆動されており、ヒータによる加熱位置では吸着された水分が離脱し、加湿ファンによる空気流中に水分を与えることができる。
【０００７】
【発明が解決しようとする課題】
前述したような加湿ユニットでは、加湿ロータに吸着した水分を離脱させるためのヒータが設けられている。このため、加湿運転時にはヒータによる消費電力量が加算されることとなり、通常の空調運転時に比して消費電力量が多大なものとなる。ユーザが加湿運転時の消費電力量を認識することができれば、過剰な加湿運転を抑制することができ、省エネに貢献することができる。
【０００８】
また、加湿運転時において加湿ユニットから供給される加湿空気は、室内ファンにより温度調整された空気流と混合されて室内に送風されるため、加湿ユニットによる風流を認識することが困難である。したがって、加湿ユニットからの換気風量をユーザが認識できれば、過剰な加湿運転を抑制することができ、省エネに貢献することができる。
【０００９】
さらに、換気運転時において加湿ユニットから供給される外気は、室内ファンの空気流と混合されて室内に送風されるため、換気風量を認識することが困難である。したがって、加湿ユニットからの換気風量をユーザが認識できれば、室内の清浄感をより認識でき、快適感の向上に貢献することができる。
【００１０】
本発明は、加湿ユニットを備えた空気調和機において、加湿運転時の消費電力量や換気風量を表示させることにより、省エネの促進および快適性の向上に貢献することを目的とする。
【００１１】
【課題を解決するための手段】
本発明に係る空気調和機は、冷媒回路内を通過する冷媒との間で熱交換を行って温度調整された空気を室内に供給する空調ユニットと、加湿空気を生成して室内に供給する加湿ユニットと、空調ユニットおよび加湿ユニットへの指示入力を受け付けるリモコンとを備える空気調和機であって、加湿ユニットが作動している際の加湿時消費電力量を算出する加湿時電力算出手段と、リモコンに設けられ、加湿電力算出手段により算出された加湿時消費電力量を表示する加湿時消費電力表示手段と、加湿ユニットが作動している際の換気風量を検出する換気風量検知手段と、リモコンに設けられ、換気風量検知手段により検出される換気風量を表示する換気風量表示手段とを備える。
【００１２】
この場合、加湿運転時における消費電力量をリモコンの加湿時消費電力表示手段に表示することにより、ユーザに加湿運転時における消費電力量を認識させることができ、省エネの促進に貢献することができる。更に、加湿ユニットによる換気風量をユーザに認識させることができ、さらに省エネの促進および快適性の向上に貢献することができる。
【００１３】
また、加湿ユニットは、空気中に含まれる水分を吸着し加熱されることにより吸着している水分を放出する吸湿材料で構成された加湿ロータと、加湿ロータを回転駆動するロータ駆動モータと、加湿ロータに吸着された水分を離脱するための加熱手段とを含む構成とすることができる。
【００１４】
この場合には、加湿ユニット内の加熱手段による消費電力量を含む加湿運転時の消費電力量をユーザに認識させることができる。
【００１５】
また、本発明では、冷媒回路内を通過する冷媒との間で熱交換を行って温度調整された空気を室内に供給する室内空調ユニットと、加湿空気を生成し室内空調ユニットを介して加湿空気を室内に供給する加湿ユニットとを備える空気調和機であって、加湿ユニットが作動している際の加湿時消費電力量を算出する加湿電力算出手段と、室内空調ユニットに設けられ、加湿電力算出手段により算出された加湿時消費電力量を表示する加湿時消費電力表示手段と、加湿ユニットが作動している際の換気風量を検出する換気風量検知手段と、室内空調ユニットに設けられ、換気風量検知手段により検出される換気風量を表示する換気風量表示手段とを備える空気調和機を提供する。
【００１６】
この場合、室内空調ユニットに加湿運転時における消費電力量を表示することにより、ユーザに加湿運転時における消費電力量を認識させることができ、省エネの促進に貢献することができる。更に、加湿ユニットによる換気風量をユーザに認識させることができ、さらに省エネの促進および快適性の向上に貢献することができる。
【００１７】
また、加湿ユニットは、空気中に含まれる水分を吸着し加熱されることにより吸着している水分を放出する吸湿材料で構成された加湿ロータと、加湿ロータを回転駆動するロータ駆動モータと、加湿ロータに吸着された水分を離脱するための加熱手段とを含む構成とすることができる。
【００１８】
この場合には、加湿ユニット内の加熱手段による消費電力量を含む加湿運転時の消費電力量をユーザに認識させることができる。
【００１９】
さらに、圧縮機、室外熱交換器、減圧回路、室外ファンなどを含む室外空調ユニットを備え、室外空調ユニットと加湿ユニットとが室外機に一体的に収納されている構成とすることができる。
【００２０】
この場合には、室外空調ユニットおよび加湿ユニットによる消費電力量を算出して室内機側で表示させることができる。また、加湿ユニットによる換気風量を検出して室内機側で表示させることができる。
【００２１】
【発明の実施の形態】
〔空気調和機の外観〕
本発明の１実施形態が採用される空気調和機の外観を図１に示す。
【００２２】
この空気調和機１は、室内の壁面などに取り付けられる室内空調ユニット２と、室外に設置される室外部３と備えている。室外部３は、室外熱交換器や室外ファンなどを収納する室外空調ユニット５と、加湿空気を室内機２に搬送する加湿ユニット４とを備えている。
【００２３】
室内空調ユニット２内には室内熱交換器、室内空気を導入して室内熱交換器内を通過する冷媒との間で熱交換させるための空気流を生成する室内ファンなどが収納されている。
【００２４】
室外空調ユニット５内には圧縮機、室外熱交換器、減圧回路、四路切換弁などで構成される室外冷媒回路が構成されており、室外空気を取り入れて室外熱交換器内を通過する冷媒との熱交換を行わせるための空気流を生成する室外ファンなどが収納されている。
【００２５】
室内空調ユニット２と室外空調ユニット５との間には冷媒配管６が配設されており、室内熱交換器および室外冷媒回路による冷媒回路を構成している。
【００２６】
加湿ユニット４は、空気中の水分を吸着し、加熱されることによって吸着した水分を離脱する性質を有する多孔質のゼオライトなどを円盤形状にした加湿ロータと、この加湿ロータを回転駆動するロータ駆動モータと、外気を導入して加湿ロータに水分を吸着させるための空気流を生成する吸着ファンと、加湿ロータに吸着した水分を離脱させるためのヒータと、加湿ロータから離脱した水分を含む加湿空気を室内空調ユニット２側に搬送する空気流を生成する加湿ファンとを備えている。
【００２７】
加湿ユニット４と室内空調ユニット２との間には、加湿ユニット４からの加湿空気を室内空調ユニット２側に搬送するための加湿空気用配管７が設けられている。
【００２８】
また、室内空調ユニット２との間で信号の送受信が可能なリモコン８を備えている。リモコン８は、赤外線送受信部と、ユーザによる指示入力を受け付ける操作キーと、指示内容や運転状況に関するデータを表示するための表示部を備えている。室内空調ユニット２には赤外線送受信部を備えており、リモコン８からの指示信号および各部の運転状況に関するデータ信号などを送受信するように構成されている。
【００２９】
〔制御ブロック図〕
室外空調ユニット５、室内空調ユニット２および加湿ユニット４の制御ブロック図を図２に示す。
【００３０】
室外空調ユニット５は、マイクロプロセッサ、ＲＯＭ、ＲＡＭ、各種インターフェイスなどを含む室外ユニット制御部５０１を備えている。
【００３１】
室外ユニット制御部５０１は、吐出側圧力保護スイッチ５０２、吐出管サーミスタ５０３、吸入側圧力センサ５０４、外気サーミスタ５０５、室外熱交サーミスタ５０６などの各種センサが接続されており、各センサの検出信号が入力される。
【００３２】
また、室外ユニット制御部５０１は、室外冷媒回路を構成する圧縮機２１、四路切換弁２２、電動弁２５と、室外ファンモータ３０などと接続されており、制御信号を供給することによって運転中の各部の制御を行うように構成されている。
【００３３】
室内空調ユニット２は、マイクロプロセッサ、ＲＯＭ、ＲＡＭ、各種インターフェイスなどを含む室内ユニット制御部２０１を備えている。
【００３４】
室内ユニット制御部２０１は、液管サーミスタ２０２、ガス管サーミスタ２０３、室内熱交サーミスタ２０４、室温センサ２０５、湿度センサ２０８などの各種センサが接続されており、各センサの検出信号が入力される。
【００３５】
また、室内ユニット制御部２０１は、接続される室内ファンモータ１３、水平羽根作動モータ１１９、垂直羽根作動モータ１２０、表示部２０６、赤外線送受信部２０７などに接続されており、各部に対して制御信号を供給することによって運転中の各部の制御を行うように構成されている。
【００３６】
加湿ユニット４は、マイクロプロセッサ、ＲＯＭ、ＲＡＭ、各種インターフェイスなどを含む加湿ユニット制御部４０１を備えている。
【００３７】
加湿ユニット制御部４０１は、加湿ロータ通過後空気温度検知用サーミスタ４０２などのセンサが接続されており検出信号が入力される。
【００３８】
また、加湿ユニット制御部４０１は、ロータ駆動モータ６１、ヒータ本体６６、加湿ファンモータ４０３、吸湿ファンモータ８３などに接続されており、各部に対して制御信号を供給することによって運転中の各部の制御を行うように構成されている。
【００３９】
室外ユニット制御部５０１は、現在の運転状況に応じて圧縮機２１、室外ファンモータ３０および室内ファンモータ１３などによる消費電力量を算出し、空調消費電力量として室内ユニット制御部２０１に送信する。また、加湿ユニット４が稼働中である場合には、ロータ駆動モータ６１、ヒータ本体６６、加湿ファンモータ４０３、吸湿ファンモータ８３などによる消費電力量を算出し、この加湿運転消費電力量と空調消費電力量を加算して室内ユニット制御部２０１に送信する。
【００４０】
〔リモコン表示部〕
リモコン８の概略構成を図３に示す。
【００４１】
リモコン８は、室内空調ユニット２の赤外線送受信部２０７との間で信号の送受信を行うための赤外線送受信部８０１を備えている。この赤外線送受信部８０１は、赤外線発行素子とフォトダイオードなどの受光素子で構成することができる。
【００４２】
リモコン８には、液晶表示装置で構成される運転表示部８０２が設けられている。この運転表示部８０２は、現在温度および設定温度を表示するための温度表示部８０３、現在湿度および設定湿度を表示するための湿度表示部８０４、現在時刻およびタイマ設定時刻を表示するための時刻表示部８０５、運転モードおよび風量を表示するための運転モード表示部８０６、風向表示部８０７、現在の消費電力量を表示する消費電力表示部８０８などを備えている。
【００４３】
リモコン８には、さらに各種指示入力キーが設けられている。指示入力キーとしては、運転／停止の指示を受け付ける運転／停止ボタン８０９、各種情報を表示させるための情報表示ボタン８１０、フルオート運転を指示するためのフルオートボタン８１１、温度および時刻の設定を行うための温度・時刻調整ボタン８１２、湿度設定の指示入力を行うための湿度コントロールボタン８１３、入タイマおよび切タイマの設定を入力するためのタイマ設定ボタン８１４、風量調整の指示入力を行うための風量ボタン８１５、現在時刻を調整するための時計合わせボタン８１６、運転モードを設定するための運転切換ボタン８１７、風向を設定するための風向切換ボタン８１８、室内空調ユニット２側の表示を切り換えるための本体表示切換ボタン８１９、積算消費電力量をリセットするための消費電力リセットボタン８２０、結露防止運転を指示するための結露防止ボタン８２１などを備えている。
【００４４】
運転表示部８０２では、そのときの運転状況に応じて各種表示を行う。特に、温度表示部８０３、湿度表示部８０４、時刻表示部８０５にはそれぞれ現在の設定温度、設定湿度、現在時刻などを表示する。また、タイマ設定がなされている場合には、時刻表示部８０５に入タイマまたは切タイマの設定時刻などを表示する。また、現在の運転モードや風量を運転モード表示部８０６に表示し、風向についての情報を風向表示部８０７に表示する。
【００４５】
情報表示ボタン８１０が操作されると、図４（Ａ）に示すように、消費電力表示部８０８に消費電力量を表示する。空調運転のみを行っている場合には、この消費電力表示部８０８に表示される消費電力量は、室外ファンモータ３０および室内ファンモータ１３などによる空調消費電力量が表示される。加湿ユニット４による加湿運転を行っている場合には、ロータ駆動モータ６１、ヒータ本体６６、加湿ファンモータ４０３、吸湿ファンモータ８３などによる加湿運転消費電力量と空調消費電力量とを加算した値が表示される。
【００４６】
リモコン８の情報表示ボタン８１０が操作された場合、室内空調ユニット２側では赤外線送受信２０７により指示信号を受信し、消費電力算出要求信号を室外ユニット制御部５０１に送信する。
【００４７】
室外ユニット制御部５０１では、現在の運転状況に応じて消費電力量を算出してその値を室内ユニット制御部２０１に送信する。室内ユニット制御部２０１では、室外ユニット制御部５０１から送信されてきた消費電力量の値を赤外線送受信部２０７によりリモコン８に送信する。
【００４８】
リモコン８では、室内ユニット２の赤外線送受信部２０７から送信されてきた消費電力量のデータを消費電力表示部８０８に表示する。
【００４９】
このようにリモコン８の消費電力表示部８０８に現在の消費電力量を表示することにより、ユーザに消費電力量を認識させることができ、省エネの促進に貢献することができる。このとき、加湿運転時における加湿ユニット４の消費電力量を算出して空調ユニットによる消費電力量と加算しているため、実際の消費電力量に近似した値を表示するように構成できる。
【００５０】
リモコン８の情報表示ボタン８１０が再度操作されると、図４（Ｂ）に示すように、現在の室内温度を温度表示部８０３に表示し、現在の室内湿度を湿度表示部８０４に表示するように構成できる。
【００５１】
さらに、リモコン８の情報表示ボタン８１０が操作されると、図４（Ｃ）に示すように、現在の屋外温度を温度表示部８０３に表示するように構成できる。
【００５２】
次に、リモコン８の情報表示ボタン８１０が操作されると、図４（Ｄ）に示すように、消費電力表示部８０８に加湿ユニット４による換気風量を表示するように構成できる。リモコン８の情報表示ボタン８１０が操作された場合、室内空調ユニット２側では赤外線送受信２０７により指示信号を受信し、換気風量算出要求信号を室外ユニット制御部５０１に送信する。
【００５３】
室外ユニット制御部５０１では、加湿ユニット４の加湿ファンモータ４０３に対する供給電力から加湿ファンによる風量を算出し、これを換気風量として室内ユニット制御部２０１に送信する。室内ユニット制御部２０１では、室外ユニット制御部５０１から送信されてきた換気風量の値を赤外線送受信部２０７によりリモコン８に送信する。リモコン８では、室内ユニット２の赤外線送受信部２０７から送信されてきた換気風量のデータを消費電力表示部８０８に表示する。
【００５４】
このように、加湿ユニット４による換気風量がどの程度であるかをユーザに認識させることで、ユーザに省エネを促すことが可能となり、快適感の向上にもつながることとなる。
【００５５】
情報表示ボタン８１０の操作回数に応じて表示を遷移する順は、例示したものに限定されるものではなく、また、消費電力表示ボタンや換気風量表示ボタンなどを独立して設けておき、それら指示ボタンの操作により表示させるように構成することも可能である。さらに、消費電力表示部８０８とは別に、換気風量表示部を設けることが可能である。この場合、消費電力表示部８０８に現在の消費電力量を表示するとともに現在の換気風量を表示するように構成することもできる。
【００５６】
〔室内機表示部〕
図１に示すように、室内空調ユニット２の前面には運転状態を表示するための表示パネル９が設けられている。この表示パネル９の詳細を図５に示す。
【００５７】
表示パネル９は、液晶表示装置または複数のＬＥＤで構成されており、液晶表示部とＬＥＤ表示部が混在したものであってもよい。
【００５８】
表示パネル９の左端部には、各種数値を表示するための数値表示部９０１が設けられている。この数値表示部９０１には、室内温度、屋外温度、湿度、消費電力量、換気風量などが表示できるように構成されている。
【００５９】
数値表示部９０１の右側には、数値表示部９０１に表示される数値に応じてその単位を表示するための単位表示部９０２を備えている。数値表示部９０１に表示される数値が、温度、湿度、消費電力量、換気風量である場合に、単位表示部９０２の表示はそれぞれ「℃」、「％」、「ｋＷｈ」、「ｍ3／hr」を表示するように構成される。
【００６０】
表示パネル９の中央部左寄りには、表示モードランプ９２１が設けられている。この表示モードランプ９２１は、数値表示部９０１にどのような数値が表示されているかを示すものであって、室内温度、屋外温度、湿度、消費電力量、換気風量に対応して、それぞれ室内温度ランプ９０３、屋外温度ランプ９０４、湿度ランプ９０５、消費電力ランプ９０６、換気風量ランプ９０７が設けられている。
【００６１】
表示パネル９の中央部右寄りには、運転状況表示部９２２が設けられている。この運転状況表示部９２２は、タイマランプ９０８と運転ランプ９０９とを備えている。入タイマまたは切タイマが設定されている場合には、タイマランプ９０８が点灯するように構成されており、現在運転中である場合には運転ランプ９０９が点灯するように構成されている。
【００６２】
運転状況表示部９２２の右側には除湿ランプ９１０が設けられている。除湿運転を行っている場合には、この除湿ランプ９１０が点灯するように構成されている。
【００６３】
表示パネル９の右端部には、リモコン８との間で信号の送受信を行うための赤外線送受信部９１１が設けられている。
【００６４】
各種モードにおける運転を行っている場合には、運転ランプ９０９が点灯しており、タイマ設定がなされている場合にはタイマランプ９０８が点灯している。
【００６５】
本体の運転中、停止中にかかわらず、リモコン８の本体表示切換ボタン８１９が操作されると、室内温度、屋外温度、室内湿度を表示させることが可能となっている。また、本体の運転中に、リモコン８の本体表示切換ボタン８１９が操作されることによって、室内温度、屋外温度、室内湿度に加えて、消費電力量、換気風量を表示させることが可能となっている。
【００６６】
たとえば、本体の運転中にリモコン８の本体表示切換ボタン８１９が１回操作されると、室内ユニット制御部２０１では、室温センサ２０５の検出値を室内温度として取得し、これを数値表示部９０１に表示する。このとき、単位表示部９０２には、「℃」を表示し、同時に室内温度ランプ９０３を点灯する。
【００６７】
リモコン８の本体表示切換ボタン８１９が再度操作されると、室内ユニット制御部２０１では、室外ユニット制御部５０１に対して外気サーミスタ５０５の検出値を要求する信号を送信し、室外ユニット制御部５０１から送信されてくる外気サーミスタ５０５の検出値を受信してこれを屋外温度として数値表示部９０１に表示する。このとき、単位表示部９０２には、「℃」を表示し、同時に屋外温度ランプ９０４を点灯する。
【００６８】
リモコン８の本体表示切換ボタン８１９がさらに操作されると、室内ユニット制御部２０１では、室内空調ユニット２内に設けられた湿度センサ２０８の検出値を室内湿度として取得し、これを数値表示部９０１に表示する。このとき、単位表示部９０２には、「％」を表示し、同時に湿度ランプ９０５を点灯する。
【００６９】
リモコン８の本体表示切換ボタン８１９がさらに操作されると、室内ユニット制御部２０１では、室外ユニット制御５０１に消費電力算出要求信号を送信し、室外ユニット制御部５０１から送信されてくる消費電力量の値を数値表示部９０１に表示する。このとき、室外ユニット制御部５０１から送信されてくる消費電力量値は、室外ファンモータ３０および室内ファンモータ１３などによる空調消費電力量と、加湿ユニット４による加湿運転を行っている場合には、ロータ駆動モータ６１、ヒータ本体６６、加湿ファンモータ４０３、吸湿ファンモータ８３などによる加湿運転消費電力量とを加算したものとなっており、実際の消費電力量値に近似したものとなっている。このとき、単位表示部９０２には、「ｋＷｈ」を表示し、同時に消費電力ランプ９０６を点灯する。
【００７０】
リモコン８の本体表示切換ボタン８１９がさらに操作されると、室内ユニット制御部２０１は、室外ユニット制御部５０１に換気風量算出要求信号を送信し、室外ユニット制御部５０１から送信されてくる換気風量の値を数値表示部９０１に表示する。室外ユニット制御部５０１から送信されてくる換気風量の値は、加湿ユニット４の加湿ファンモータ４０３に対する供給電力から加湿ファンによる風量を算出し、これを換気風量としている。このとき、単位表示部９０２には、「ｍ3／hr」を表示し、同時に換気風量ランプ９０７を点灯する。
【００７１】
リモコン８の本体表示切換ボタン８１９がさらに操作されると、数値表示部９０１および単位表示部９０２を無表示とし、表示モードランプ９２１の全てを消灯状態とする。
【００７２】
リモコン８の本体表示切換ボタン８１９の操作による表示の遷移順は、例示したものに限定されるものではない。また、温度表示部、湿度表示部、消費電力表示部、換気風量表示部などを独立して設けることも可能である。さらに、消費電力表示指示ボタン、換気風量表示指示ボタンなどをリモコン８に設け、それぞれの操作に応じて表示を行うように構成することも可能であり、室内空調ユニット２側に表示指示用のボタンを設けるように構成することも可能である。加えて、数値表示部９０１と単位表示部９０２を一体化することも可能である。
【００７３】
【発明の効果】
本発明の請求項１に係る空気調和機では、加湿運転時における消費電力量をリモコンの加湿時消費電力表示手段に表示することにより、ユーザに加湿運転時における消費電力量を認識させることができ、省エネの促進に貢献することができる。さらに、加湿ユニットによる換気風量をユーザに認識させることができ、さらに省エネの促進および快適性の向上に貢献することができる。
【００７４】
請求項２に係る空気調和機では、加湿ユニット内の加熱手段による消費電力量を含む加湿運転時の消費電力量をユーザに認識させることができる。
【００７５】
請求項３に係る空気調和機では、室内空調ユニットに加湿運転時における消費電力量を表示することにより、ユーザに加湿運転時における消費電力量を認識させることができ、省エネの促進に貢献することができる。さらに、加湿ユニットによる換気風量をユーザに認識させることができ、さらに省エネの促進および快適性の向上に貢献することができる。
【００７６】
請求項４に係る空気調和機では、加湿ユニット内の加熱手段による消費電力量を含む加湿運転時の消費電力量をユーザに認識させることができる。
【００７７】
請求項５に係る空気調和機では、室外空調ユニットおよび加湿ユニットによる消費電力量を算出して室内機側で表示させることができる。また、換気風量を表示させることができ、省エネの促進および快適性の向上に貢献することができる。
【図面の簡単な説明】
【図１】  本発明の１実施形態が採用される空気調和機の外観構成を示す斜視図。
【図２】  その制御ブロック図。
【図３】  リモコンの説明図。
【図４】  リモコンの表示を示す説明図。
【図５】  室内空調ユニットの表示パネルを示す説明図。
【符号の説明】
２  室内空調ユニット
３  室外機
４  加湿ユニット
５  室外空調ユニット
８  リモコン
９  表示パネル
８０８  消費電力表示部
８１０  情報表示ボタン
８１９  本体表示切換ボタン
９０１  数値表示部
９０６  消費電力ランプ
９０７  換気風量ランプ
【図１】
0004556314.tif 000002
【図２】
0004556314.tif 000003
【図３】
0004556314.tif 000004
【図４】
0004556314.tif 000005
【図５】
0004556314.tif 000006